(57)【要約】【課題】調整用パターン画像を用いて画像形成装置の画像の調整を行うにあたって、第１面における調整用パターン画像と第２面における調整用パターン画像との微妙なずれを操作者に正確に把握させる或いは検出装置に正確に検出させることができる調整用パターン画像、画像形成装置及び画像形成装置の画像調整方法を提供する。【解決手段】画像形成装置により記録シートの第１面及び第２面にそれぞれ画像形成される第１調整用パターン画像及び第２調整用パターン画像を含み、第１調整用パターン画像の画像形成位置と第２調整用パターン画像の画像形成位置とが一致するように画像形成装置の画像を調整するための調整用パターン画像である。第１調整用パターン画像及び第２調整用パターン画像は、それぞれ、間隔をあけて少なくとも２つ形成され、かつ、第１面と第２面とで交互になるように配置される。【選択図】図６
2014233963.tif 000002
【特許請求の範囲】
【請求項１】
画像形成装置により記録シートの一方の面である第１面及び他方の面である第２面にそれぞれ画像形成される第１調整用パターン画像及び第２調整用パターン画像を含み、前記第１面に形成される前記第１調整用パターン画像の画像形成位置と前記第２面に形成される前記第２調整用パターン画像の画像形成位置とが一致するように前記画像形成装置の画像を調整するための調整用パターン画像であって、
前記第１調整用パターン画像及び前記第２調整用パターン画像は、それぞれ、間隔をあけて少なくとも２つ形成され、かつ、前記第１面と前記第２面とで交互になるように配置されることを特徴とする調整用パターン画像。
【請求項２】
請求項１に記載の調整用パターン画像であって、
前記第１調整用パターン画像及び前記第２調整用パターン画像は、それぞれ、断続的にかつ線状に形成されることを特徴とする調整用パターン画像。
【請求項３】
請求項１又は請求項２に記載の調整用パターン画像であって、
前記第１調整用パターン画像及び前記第２調整用パターン画像は、複数の点部又は線部からなる直線状の破線で構成されていることを特徴とする調整用パターン画像。
【請求項４】
請求項３に記載の調整用パターン画像であって、
前記第１調整用パターン画像及び前記第２調整用パターン画像のうち、何れか一方の調整用パターン画像は、前記破線の直線状の方向に直交する直交方向において、該一方の調整用パターン画像を基準にして予め定めた所定の間隔毎に離間した位置に第１測定用画像が形成され、かつ、何れか他方の調整用パターン画像は、前記直交方向において、該他方の調整用パターン画像を基準にして前記所定の間隔に予め定めた所定の値を増加させた間隔毎に離間した位置に第２測定用画像が形成されることを特徴とする調整用パターン画像。
【請求項５】
請求項１から請求項４までの何れか１項に記載の調整用パターン画像であって、
前記第１調整用パターン画像及び前記第２調整用パターン画像は、互いに予め定めた所定の距離をおいて形成された画像とされることを特徴とする調整用パターン画像。
【請求項６】
請求項１から請求項５までの何れか１項に記載の調整用パターン画像であって、
前記第１調整用パターン画像及び前記第２調整用パターン画像は、前記画像形成装置の前記記録シートのシート搬送方向と該シート搬送方向に直交する幅方向との双方に少なくとも２つ形成された画像とされることを特徴とする調整用パターン画像。
【請求項７】
請求項１から請求項６までの何れか１項に記載の調整用パターン画像であって、
前記第１調整用パターン画像及び前記第２調整用パターン画像のうち、一方の調整用パターン画像は、他方の調整用パターン画像を平面視で前記記録シートの中心を回転中心にして１８０°回転させた画像と同じ画像とされることを特徴とする調整用パターン画像。
【請求項８】
請求項１から請求項７までの何れか１項に記載の調整用パターン画像であって、
前記第１調整用パターン画像及び前記第２調整用パターン画像は、互いに異なる色とされることを特徴とする調整用パターン画像。
【請求項９】
請求項１から請求項８までの何れか１項に記載の調整用パターン画像を記録シートに形成し、得られた前記調整用パターン画像により画像の画像形成位置を調整する構成とされた画像形成装置であって、
前記記録シートに画像を形成する画像形成部と、
前記画像形成部にて一方の面である第１面に画像が形成された前記記録シートの表裏を反転させて他方の面である第２面に画像を形成するように前記画像形成部に向けて案内する構成とされた表裏反転搬送路と、
前記画像形成部及び前記表裏反転搬送路により前記調整用パターン画像における前記第１調整用パターン画像及び前記第２調整用パターン画像を前記記録シートの前記第１面及び前記第２面にそれぞれ形成する調整用パターン画像出力モードと
を備えていることを特徴とする画像形成装置。
【請求項１０】
操作部の入力操作により受け付けた調整値或いは検出装置により検出された調整値に基づいて画像を書き込むことで記録シートに画像形成する画像形成装置の画像調整方法であって、
請求項１から請求項８までの何れか１項に記載の調整用パターン画像を前記記録シートの前記第１面及び前記第２面にそれぞれ形成する形成工程と、
前記形成工程にて前記記録シートに形成された調整用パターン画像を測定する測定工程と、
前記測定工程にて測定された値に基づいて前記操作部で前記調整値を前記画像形成装置に入力する調整値入力工程と、
前記調整値入力工程にて入力された前記調整値で前記画像形成装置の画像の書き込みタイミングを決定する画像書き込み工程と
を含むことを特徴とする画像調整方法。
【発明の詳細な説明】
【技術分野】
【０００１】
本発明は、画像形成装置により記録シートに画像形成されて該画像形成装置の画像を調整するための調整用パターン画像、画像形成装置及びその画像調整方法に関する。
【背景技術】
【０００２】
調整用パターン画像を記録紙等の記録シートに形成し、得られた調整用パターン画像により画像の画像形成位置を調整する構成とされた画像形成装置は、従来から知られている。
【０００３】
このような従来の画像形成装置においては、記録シートの一方の面である第１面（表面）だけに調整用パターン画像を画像形成して画像を調整する他、特に、記録シートの両面に画像形成を行う構成のものでは、記録シートの第１面（表面）だけでなく他方の面である第２面（裏面）に調整用パターン画像を画像形成して画像の調整を行うことがある。
【０００４】
例えば、特許文献１には、記録シートである記録紙の両面における画像の相対的な印字位置のずれ量や画像の伸縮量を、測定器具を用いずに正確に且つ簡単に把握する画像形成装置を提供するもので、例えば、図９に示すような調整用パターン画像ＰＸ１，ＰＸ２が開示されている。
【０００５】
図９は、特許文献１に記載の従来の調整用パターン画像ＰＸ１，ＰＸ２の一例を示す平面図である。図９（ａ）は、記録シートＰの一方の面である第１面Ｐ１に形成された調整用パターン画像ＰＸ１を示しており、図９（ｂ）は、他方の面である第２面Ｐ２に形成された調整用パターン画像ＰＸ２を示している。
【０００６】
図９に示す調整用パターン画像ＰＸ１，ＰＸ２は、それぞれ、記録シートＰの第１面Ｐ１及び第２面Ｐ２に同じ画像として形成されており、途中で途切れることのない直線で構成されている。
【先行技術文献】
【特許文献】
【０００７】
【特許文献１】特開２００５−３２１５９４号公報
【発明の概要】
【発明が解決しようとする課題】
【０００８】
しかしながら、図９に示すような従来の調整用パターン画像ＰＸ１，ＰＸ２を用いて、画像形成装置の画像の調整を行うにあたっては、例えば、調整用パターン画像ＰＸ１，ＰＸ２が形成された記録シートＰに光を透過させて、第１面Ｐ１及び第２面Ｐ２の何れか一方の面から、サービスマンやユーザ等の操作者による目視により、第１面Ｐ１と第２面Ｐ２とで調整用パターン画像ＰＸ１，ＰＸ２がどれだけずれているかを把握したり、或いは、第１面Ｐ１及び第２面Ｐ２の何れか一方の面から、画像読み取りセンサ等を用いた検出装置により、第１面Ｐ１と第２面Ｐ２とで調整用パターン画像ＰＸ１，ＰＸ２がどれだけずれているかを検出したりする。この場合、調整用パターン画像ＰＸ１，ＰＸ２は途中で途切れることのない直線で構成されているので、第１面Ｐ１における調整用パターン画像ＰＸ１と第２面Ｐ２における調整用パターン画像ＰＸ２との微妙なずれを操作者に正確に把握させることができない或いは検出装置に正確に検出させることができないという課題があった。
【０００９】
そこで、本発明は、調整用パターン画像を用いて画像形成装置の画像の調整を行うにあたって、第１面における調整用パターン画像と第２面における調整用パターン画像との微妙なずれを操作者に正確に把握させる或いは検出装置に正確に検出させることができる調整用パターン画像、画像形成装置及び画像形成装置の画像調整方法を提供することを目的とする。
【課題を解決するための手段】
【００１０】
本発明は、前記課題を解決するために、次の調整用パターン画像、画像形成装置及び画像形成装置の画像調整方法を提供する。
【００１１】
（１）調整用パターン画像
画像形成装置により記録シートの一方の面である第１面及び他方の面である第２面にそれぞれ画像形成される第１調整用パターン画像及び第２調整用パターン画像を含み、前記第１面に形成される前記第１調整用パターン画像の画像形成位置と前記第２面に形成される前記第２調整用パターン画像の画像形成位置とが一致するように前記画像形成装置の画像を調整するための調整用パターン画像であって、前記第１調整用パターン画像及び前記第２調整用パターン画像は、それぞれ、間隔をあけて少なくとも２つ形成され、かつ、前記第１面と前記第２面とで交互になるように配置されることを特徴とする調整用パターン画像。
【００１２】
（２）画像形成装置
前記本発明に係る調整用パターン画像を記録シートに形成し、得られた前記調整用パターン画像により画像の画像形成位置を調整する構成とされた画像形成装置であって、前記記録シートに画像を形成する画像形成部と、前記画像形成部にて一方の面である第１面に画像が形成された前記記録シートの表裏を反転させて他方の面である第２面に画像を形成するように前記画像形成部に向けて案内する構成とされた表裏反転搬送路と、前記画像形成部及び前記表裏反転搬送路により前記調整用パターン画像における前記第１調整用パターン画像及び前記第２調整用パターン画像を前記記録シートの前記第１面及び前記第２面にそれぞれ形成する調整用パターン画像出力モードとを備えていることを特徴とする画像形成装置。
【００１３】
（３）画像形成装置の画像調整方法
操作部の入力操作により受け付けた調整値或いは検出装置により検出された調整値に基づいて画像を書き込むことで記録シートに画像形成する画像形成装置の画像調整方法であって、前記本発明に係る調整用パターン画像を前記記録シートの前記第１面及び前記第２面にそれぞれ形成する形成工程と、前記形成工程にて前記記録シートに形成された調整用パターン画像を測定する測定工程と、前記測定工程にて測定された値に基づいて前記操作部で前記調整値を前記画像形成装置に入力する調整値入力工程と、前記調整値入力工程にて入力された前記調整値で前記画像形成装置の画像の書き込みタイミングを決定する画像書き込み工程とを含むことを特徴とする画像調整方法。
【００１４】
本発明において、前記第１調整用パターン画像及び前記第２調整用パターン画像は、それぞれ、断続的にかつ線状に形成される態様を例示できる。
【００１５】
本発明において、前記第１調整用パターン画像及び前記第２調整用パターン画像は、複数の点部又は線部からなる直線状の破線で構成されている態様を例示できる。
【００１６】
本発明において、前記第１調整用パターン画像及び前記第２調整用パターン画像のうち、何れか一方の調整用パターン画像は、前記破線の直線状の方向に直交する直交方向において、該一方の調整用パターン画像を基準にして予め定めた所定の間隔毎に離間した位置に第１測定用画像が形成され、かつ、何れか他方の調整用パターン画像は、前記直交方向において、該他方の調整用パターン画像を基準にして前記所定の間隔に予め定めた所定の値を増加させた間隔毎に離間した位置に第２測定用画像が形成される態様を例示できる。
【００１７】
本発明において、前記第１調整用パターン画像及び前記第２調整用パターン画像は、互いに予め定めた所定の距離をおいて形成された画像とされる態様を例示できる。
【００１８】
本発明において、前記第１調整用パターン画像及び前記第２調整用パターン画像は、前記画像形成装置の前記記録シートのシート搬送方向と該シート搬送方向に直交する幅方向との双方に少なくとも２つ形成された画像とされる態様を例示できる。
【００１９】
本発明において、前記第１調整用パターン画像及び前記第２調整用パターン画像のうち、一方の調整用パターン画像は、他方の調整用パターン画像を平面視で前記記録シートの中心を回転中心にして１８０°回転させた画像と同じ画像とされる態様を例示できる。
【００２０】
本発明において、前記第１調整用パターン画像及び前記第２調整用パターン画像は、互いに異なる色とされる態様を例示できる。
【発明の効果】
【００２１】
本発明によると、調整用パターン画像を用いて画像形成装置の画像の調整を行うにあたって、前記第１面における調整用パターン画像と前記第２面における調整用パターン画像との微妙なずれを操作者に正確に把握させる或いは検出装置に正確に検出させることが可能となる。
【図面の簡単な説明】
【００２２】
【図１】本発明の実施の形態に係る調整用パターン画像を形成する画像形成装置の概略構成を示す正面図である。
【図２】図１に示す画像形成装置における制御部を中心に示すブロック図である。
【図３】調整用パターン画像の一例を示す概略平面図であって、記録シートの第１面に形成された第１調整用パターン画像を示す図である。
【図４】調整用パターン画像の一例を示す概略平面図であって、記録シートの第２面に形成された第２調整用パターン画像を示す図である。
【図５】図３及び図４に示す調整用パターン画像の一部を記録シートの第１面側から第２面側を透かして視た状態を示す拡大平面図であって、記録シートの第１面及び第２面にそれぞれ形成された第１調整用パターン画像及び第２調整用パターン画像の画像形成位置がシート搬送方向及び幅方向の双方で一致している状態を示す図である。
【図６】図３及び図４に示す調整用パターン画像の一部を記録シートの第１面側から第２面側を透かして視た状態を示す拡大平面図であって、記録シートの第１面及び第２面にそれぞれ形成された第１調整用パターン画像及び第２調整用パターン画像の画像形成位置がシート搬送方向及び幅方向Ｙの双方でずれている状態を示す図である。
【図７】画像調整モードにおいて両面画像の画像形成位置を調整する調整画面が操作表示部における表示部の表示画面に表示された状態を示す概略平面図である。
【図８】調整用パターン画像の他の例を記録シートの第１面側から第２面側を透かして視た状態を示す拡大平面図である。
【図９】特許文献１に記載の従来の調整用パターン画像の一例を示す平面図であって、（ａ）は、記録シートの一方の面である第１面に形成された調整用パターン画像を示す図であり、（ｂ）は、他方の面である第２面に形成された調整用パターン画像を示す図である。
【発明を実施するための形態】
【００２３】
以下、本発明に係る実施の形態について図面を参照しながら説明する。
【００２４】
（画像形成装置）
図１は、本発明の実施の形態に係る調整用パターン画像を形成する画像形成装置１の概略構成を示す正面図である。
【００２５】
画像形成装置１は、例えば、スキャナ機能、ファクシミリ機能及びプリンタ機能を有する複合機である。画像形成装置１は、原稿の画像を読み取る画像読取装置２と、記録シートPに画像形成する画像形成部３とを備えている。
【００２６】
画像読取装置２は、画像読取部２０と、画像読取部２０に対して開閉可能に取り付けられた原稿送り装置３０とを含んでいる。
【００２７】
画像読取部２０は、原稿固定方式による読み取りと、原稿移動方式による読み取りとを行う構成とされている。画像読取部２０は、原稿台ガラス２１と、原稿読取ガラス２２と、光源ユニット２３と、ミラーユニット２４と、撮像部２５とを備えている。
【００２８】
画像読取部２０では、原稿固定方式による読取時に、光源ユニット２３及びミラーユニット２４を搬送方向Ｚ１に移動させながら、光源２３ａから光が出射される。このとき、光源２３ａから出射される光は、原稿台ガラス２１を介して原稿台ガラス２１上に載置される原稿に照射される。そして、原稿からの反射光は、原稿台ガラス２１、光源ユニット２３のミラー２３ｂ、並びに、ミラーユニット２４のミラー２４ａ及びミラー２４ｂを介して撮像部２５に入射される。これにより、画像読取部２０は、原稿台ガラス２１上に固定的に配置された原稿の画像を読み取ることが可能である。
【００２９】
また、画像読取部２０では、原稿移動方式による読取時に、光源ユニット２３を読取位置（図１に示す位置）に停止させた状態で、光源２３ａから光が出射される。このとき、光源２３ａから出射される光は、原稿読取ガラス２２を介して、原稿送り装置３０により原稿読取ガラス２２上を搬送方向Ｚ１に搬送される原稿に照射される。そして、原稿からの反射光は、原稿読取ガラス２２、光源ユニット２３のミラー２３ｂ並びにミラーユニット２４のミラー２４ａ及びミラー２４ｂを介して撮像部２５に入射される。これにより、画像読取部２０は、原稿送り装置３０により原稿読取ガラス２２上を搬送される原稿の画像を読み取ることができる。
【００３０】
画像形成部３は、感光体ドラム４ａ，４ｂ，４ｃ，４ｄと、帯電器５ａ，５ｂ，５ｃ，５ｂと、露光装置６と、現像装置７ａ，７ｂ，７ｃ，７ｄと、クリーナ装置８ａ，８ｂ，８ｃ，８ｄと、中間転写ローラ９ａ，９ｂ，９ｃ，９ｄを有する中間転写ベルト装置９と、２次転写装置１０と、定着装置１１と、シート収容部として作用する給紙トレイ１２ａ及び手差し給紙トレイ１２ｂと、排出部として作用する排出トレイ１３と、シート搬送装置１４とを備えている。
【００３１】
画像形成部３は、画像読取装置２により読み取られた画像データ或いは後述する記憶部１０２（図２参照）に予め格納されている調整用パターン画像ＰＴ（図３及び図４参照）のデータに基づいてシート搬送方向Ｘに搬送される記録シートＰに画像を形成するようになっている。画像形成部３は、ブラック（Ｋ）、シアン（Ｃ）、マゼンタ（Ｍ）、イエロー（Ｙ）の各色を用いたカラー画像と、単色（たとえば、ブラック）を用いたモノクロ画像とを形成する構成とされている。
【００３２】
具体的には、画像形成部３は、ブラックを形成する画像形成ステーションが、感光体ドラム４ａと、帯電器５ａと、現像装置７ａと、クリーナ装置８ａと、中間転写ローラ９ａとにより構成されている。また、画像形成部３は、シアンを形成する画像形成ステーションが、感光体ドラム４ｂと、帯電器５ｂと、現像装置７ｂと、クリーナ装置８ｂと、中間転写ローラ９ｂとにより構成されている。また、画像形成部３は、マゼンタを形成する画像形成ステーションが、感光体ドラム４ｃと、帯電器５ｃと、現像装置７ｃと、クリーナ装置８ｃと、中間転写ローラ９ｃとにより構成されている。また、画像形成部３は、イエローを形成する画像形成ステーションが、感光体ドラム４ｄと、帯電器５ｄと、現像装置７ｄと、クリーナ装置８ｄと、中間転写ローラ９ｄとにより構成されている。
【００３３】
感光体ドラム４ａ，４ｂ，４ｃ，４ｄは、表面に光感光層を有している。帯電器５ａ，５ｂ，５ｃ，５ｂは、感光体ドラム４ａ，４ｂ，４ｃ，４ｄの表面を所定の電位に均一に帯電させるために高電圧を印加する。
【００３４】
露光装置６は、例えば、レーザダイオード及び反射ミラーを含むレーザスキャニングユニットであり、一様に帯電された感光体ドラム４ａ，４ｂ，４ｃ，４ｄの表面を画像データに応じて露光して、その表面に画像データに応じた静電潜像を形成する。これにより、露光装置６は、後述する制御部１００（図２参照）の指示の下、感光体ドラム４ａ，４ｂ，４ｃ，４ｄの表面に静電潜像を所定の書き込みタイミングで書き込むことができる。
【００３５】
現像装置７ａ，７ｂ，７ｃ，７ｄは、感光体ドラム４ａ，４ｂ，４ｃ，４ｄ上に形成された静電潜像をＫ、Ｃ、Ｍ、Ｙのトナーにより現像する。クリーナ装置８ａ，８ｂ，８ｃ，８ｄは、現像及び画像転写後に記録シートＰに転写されるに感光体ドラム４ａ，４ｂ，４ｃ，４ｄの表面に残留したトナーを除去及び回収する。
【００３６】
中間転写ベルト装置９は、感光体ドラム４ａ，４ｂ，４ｃ，４ｄの上方に配置されており、無端ベルト状の中間転写ベルト９ｅと、中間転写ベルト駆動ローラ９ｆと、従動ローラ９ｇと、テンションローラ９ｈと、中間転写ベルトクリーニング装置９ｉとを備えている。中間転写ローラ９ａ，９ｂ，９ｃ，９ｄ、中間転写ベルト駆動ローラ９ｆ、従動ローラ９ｇ及びテンションローラ９ｈは、中間転写ベルト９ｅを張架して支持し、中間転写ベルト９ｅを周回方向Ｃに移動させる。中間転写ベルト９ｅには、感光体ドラム４ａ，４ｂ，４ｃ，４ｄの表面のトナー像が順次重ねて転写されることにより、カラーのトナー像（各色のトナー像）が形成される。
【００３７】
感光体ドラム４ａ，４ｂ，４ｃ，４ｄから中間転写ベルト９ｅへのトナー像の転写は、中間転写ベルト９ｅの内側（裏面）に圧接されている中間転写ローラ９ａ，９ｂ，９ｃ，９ｄによって行われる。中間転写ローラ９ａ，９ｂ，９ｃ，９ｄには、トナー像を転写するために高電圧の転写バイアス（トナーの帯電極性（一）とは逆極性（＋）の高電圧）が印加される。
【００３８】
２次転写装置１０は、中間転写ベルト９ｅと接触する転写ローラ１０ａを有している。転写ローラ１０ａは、中間転写ベルト駆動ローラ９ｆと隣接するように、中間転写ベルト９ｅの外側に配置されている。中間転写ベルト９ｅと転写ローラ１０ａとは、相互に圧接されて転写ニップ域を形成する。また、２次転写装置１０の転写ローラ１０ａには、中間転写ベルト９ｅ上の各色のトナー像を記録シートＰに転写させるための電圧（たとえば、トナーの帯電極性（一）とは逆極性（＋）の高電圧）が印加される。
【００３９】
画像形成装置１において、感光体ドラム４ａ，４ｂ，４ｃ，４ｄの表面に形成されたトナー像は、中間転写ベルト９ｅで積層され、画像データに応じたカラーのトナー像とされる。こうして積層された各色のトナー像は、周回方向Ｃに移動される中間転写ベルト９ｅと共に搬送され、中間転写ベルト駆動ローラ９ｆと隣接するように、中間転写ベルト９ｅの外側に配置された２次転写装置１０における転写ローラ１０ａによって記録シートＰ上に転写される。
【００４０】
また、中間転写ベルトクリーニング装置９ｉは、中間転写ベルト９ｅ上のトナー像が２次転写装置１０によって記録シートＰ上に完全に転写されずに中間転写ベルト９ｅ上に残留した残留トナーを除去及び回収する。中間転写ベルトクリーニング装置９ｉは、例えば、従動ローラ９ｇ側に押圧された状態で中間転写ベルト９ｅに接触するクリーニングブレードを有しており、このクリーニングブレードにより残留トナーを除去及び回収する。
【００４１】
定着装置１１は、記録シートＰを挟み込んで搬送するヒートローラ１１ａ及び加圧ローラ１１ｂを有している。ヒートローラ１１ａは、所定の定着温度となるように温度制御され、加圧ローラ１１ｂと共に記録シートＰを定着ニップ部で熱圧着することにより、記録シートＰに転写されたトナー像を溶融、混合、圧接し、記録シートＰに対して熱定着させる機能を有している。また、定着装置１１には、ヒートローラ１１ａを外部から加熱するための外部加熱ベルト１１ｃが設けられている。
【００４２】
給紙トレイ１２ａは、記録シートＰを格納しておくためのトレイであり、手差し給紙トレイ１２ｂは、記録シートＰが載置されるトレイである。排出トレイ１３は、中継搬送ユニット１５が取り外されている場合に、印刷済みの記録シートＰをフェイスダウンで載置するためのトレイである。
【００４３】
シート搬送装置１４では、給紙トレイ１２ａからシート搬送路Ｓに沿って、ピックアップローラ１４ａ、第１分離ローラ１４ｂ、第２分離ローラ１４ｃ、搬送ローラ１４ｄ、レジスト前ローラ対１４ｅ、レジストローラ対１４ｆ及び排出ローラ１４ｇが配設されている。また、手差し給紙トレイ１２ｂの近傍には、ピックアップローラ１４ｉが設けられている。
【００４４】
トナー像が転写された記録シートＰは、ヒートローラ１１ａ及び加圧ローラ１１ｂにより、トナー像が記録シートＰに定着されながら搬送される。各色のトナー像が定着された記録シートＰは、排出ローラ１４ｇによって排出トレイ１３に排出される。
【００４５】
なお、４つの画像形成ステーションのうち少なくとも一つを用いて、モノクロ画像を形成し、モノクロ画像を中間転写ベルト装置９の中間転写ベルト９ｅに転写することも可能である。このモノクロ画像も、カラー画像と同様に、中間転写ベルト９ｅから記録シートＰに転写され、記録シートＰ上に定着される。
【００４６】
また、記録シートＰの一方の面である第１面Ｐ１（表面）の画像だけではなく、両面の画像形成を行う場合は、搬送ローラ１４ｈにより記録シートＰを表裏反転搬送路Ｓｒに通して、記録シートＰの表裏を反転させてから、記録シートＰを再びレジストローラ対１４ｆへと導く。ここで、表裏反転搬送路Ｓｒは、画像形成部３にて第１面Ｐ１に画像が形成された記録シートＰの表裏を反転させて記録シートＰの他方の面である第２面Ｐ２（裏面）に画像を形成するように画像形成部３に向けて案内する構成とされている。
【００４７】
画像形成装置１は、通常の画像形成が行われる場合に、画像読取装置２により読み取られた画像を画像形成部３により記録シートＰに形成する。そして、通常の画像が形成された記録シートＰ（通常の記録シート）が排出トレイ１３に排出される。
【００４８】
また、画像形成装置１は、調整処理が行われる場合に、記憶部１０２（図２参照）に予め格納されている調整用パターン画像ＰＴ（図３及び図４参照）のデータに基づいて、画像形成部３により記録シートＰの第１面Ｐ１及び第２面Ｐ２にそれぞれ画像形成される第１調整用パターン画像ＰＴ１及び第２調整用パターン画像ＰＴ２を含む調整用パターン画像ＰＴを記録シートＰに形成する。そして、調整用パターン画像ＰＴが形成された記録シートＰが排出トレイ１３に排出される。ここで、調整処理は、記録シートＰの第１面Ｐ１に形成される第１調整用パターン画像ＰＴ１の画像形成位置と記録シートＰの第２面Ｐ２に形成される第２調整用パターン画像ＰＴ２の画像形成位置とが一致するように画像形成装置１における画像形成部３の画像を位置調整する処理である。この調整処理については、後ほど詳しく説明する。
【００４９】
（制御部）
図２は、図１に示す画像形成装置１における制御部１００を中心に示すブロック図である。
【００５０】
図２に示すように、画像形成装置１は、さらに、制御部１００を備えている。制御部１００は、ＣＰＵ（Central Processing Unit）等の処理部１０１と、ＲＯＭ（Read Only Memory）及びＲＡＭ（Random Access Memory）等のメモリを含む記憶部１０２とを備えている。詳しくは、画像形成装置１は、制御部１００の処理部１０１が記憶部１０２のＲＯＭに予め格納された制御プログラムを記憶部１０２のＲＡＭ上にロードして実行することにより、各種構成要素を制御するようになっている。なお、記憶部１０２におけるＲＯＭには、既述のとおり、調整用パターン画像ＰＴ（図３及び図４参照）のデータが予め格納されている。
【００５１】
画像形成部３は、制御部１００に電気的に接続されており、制御部１００からの指示信号によって作動制御されるようになっている。
【００５２】
画像形成装置１は、さらに、画像形成処理に関する各機能及び種々の動作モード（例えば後述する画像調整モード）の設定が可能な操作表示部８０（後述する図７参照）を備えている。
【００５３】
操作表示部８０は、各種処理の指示操作、各種処理情報の入力操作或いは選択操作を行う操作部８１と、指示操作、入力操作或いは選択操作された各種処理情報を表示する表示部８２とを備えている。
【００５４】
操作部８１は、ユーザによる入力操作を受け付けるものであり、制御部１００の入力系に電気的に接続されている。これにより、操作部８１は、後述する調整画面Ｇｓ（図７参照）等の各種画面に対する入力操作或いは選択操作を受け付けて入力情報或いは選択情報を制御部１００に送信することができる。操作部８１は、ここでは、表示部８２の表示画面Ｇ（図７参照）上に設けられて表示画面Ｇ上でタッチ入力操作（画面位置情報）を受け付けるタッチ入力部を有している。詳しくは、操作部８１は、表示部８２の表示画面Ｇ上に設けられて表示部８２に向けてタッチ操作可能な表示パネル（いわゆるタッチパネル）を構成しており、表示部８２の表示画面Ｇに表示される表示キー（いわゆるソフトウェアキー）を入力操作（具体的にはタッチ入力操作）できるようになっている。なお、操作部８１は、表示部８２の表示画面Ｇ上に設けられて表示画面Ｇに表示される表示キー８１ａ（いわゆるソフトウェアキー）を入力操作（具体的にはタッチ入力操作）できるような構成に加えて、表示画面Ｇとは別に操作表示部本体８０ａ（図７参照）に設けられた操作キー８１ｂ（いわゆるハードウェアキー）を入力操作（具体的にはプッシュ入力操作）できるような構成とされている。
【００５５】
表示部８２は、液晶表示装置等のディスプレイ装置を備えており、制御部１００の出力系に電気的に接続されている。これにより、表示部８２は、制御部１００から送られてくる画面データに基づいて、調整画面Ｇｓ（図７参照）等の各種画面を表示することができる。
【００５６】
（第１実施形態の調整用パターン画像）
次に、図１に示す画像形成装置１にて記録シートＰに形成される調整用パターン画像ＰＴについて図３から図６を参照しながら以下に説明する。
【００５７】
図３及び図４は、調整用パターン画像ＰＴの一例を示す概略平面図である。図３は、記録シートＰの第１面Ｐ１に形成された第１調整用パターン画像ＰＴ１を示している。図４は、記録シートＰの第２面Ｐ２に形成された第２調整用パターン画像ＰＴ２を示している。
【００５８】
画像形成装置１は、制御部１００の指示の下、画像形成部３において調整用パターン画像ＰＴを記録シートＰに形成する。ここで、記録シートＰは、光透過性を有する記録シートである。記録シートＰとしては、光を透過して向こう側の面に形成されている画像が透けて視えるものであれば何れのものでもよく、例えば、予め定めた所定の規格の厚みを有する普通紙、半透明紙、ＯＨＰシート等を挙げることができる。
【００５９】
詳しくは、画像形成装置１は、画像形成部３及び表裏反転搬送路Ｓｒにより調整用パターン画像ＰＴにおける第１調整用パターン画像ＰＴ１及び第２調整用パターン画像ＰＴ２を記録シートＰの第１面Ｐ１及び第２面Ｐ２にそれぞれ形成する調整用パターン画像出力モードを有している。
【００６０】
具体的には、画像形成装置１では、調整用パターン画像ＰＴを記録シートＰに形成するにあたり、先ず、給紙トレイ１２ａ又は手差し給紙トレイ１２ｂに配置された記録シートＰをピックアップローラ１４ａ，１４ｉにより引き出してシート搬送路Ｓに供給し、搬送ローラ１４ｄ、レジスト前ローラ対１４ｅ、レジストローラ対１４ｆを経て中間転写ベルト９ｅと転写ローラ１０ａとの転写ニップ域に搬送する。
【００６１】
このとき、記憶部１０２におけるＲＯＭから読み出された調整用パターン画像ＰＴのうちの第１調整用パターン画像ＰＴ１が中間転写ベルト９ｅ上に形成されており、中間転写ベルト９ｅ上における第１調整用パターン画像ＰＴ１を、レジストローラ対１４ｆからシート搬送方向Ｘに搬送されてくる記録シートＰの第１面Ｐ１に転写し、定着装置１１において加熱定着して排出ローラ１４ｇまで搬送する。
【００６２】
次に、排出ローラ１４ｇにて搬送中の記録シートＰのシート搬送方向Ｘ上流側端（後端）がシート搬送路Ｓと表裏反転搬送路Ｓｒとの分岐部を通過したところで記録シートＰを逆搬送して表裏反転搬送路Ｓｒに移行させ、搬送ローラ１４ｈ、レジスト前ローラ対１４ｅ、レジストローラ対１４ｆを経て中間転写ベルト９ｅと転写ローラ１０ａとの転写ニップ域に再度搬送する。
【００６３】
このとき、記憶部１０２におけるＲＯＭから読み出された調整用パターン画像ＰＴのうちの第２調整用パターン画像ＰＴ２が中間転写ベルト９ｅ上に形成されており、中間転写ベルト９ｅ上における第２調整用パターン画像ＰＴ２を、レジストローラ対１４ｆからシート搬送方向Ｘに搬送されてくる記録シートＰの第２面Ｐ２に転写し、定着装置１１において加熱定着して排出ローラ１４ｇまで搬送し、排出トレイ１３に排出する。
【００６４】
かくして、画像形成装置１は、図３及び図４に示す調整用パターン画像ＰＴにおける第１調整用パターン画像ＰＴ１及び第２調整用パターン画像ＰＴ２をそれぞれ記録シートＰの第１面Ｐ１及び第２面Ｐ２に形成することができる。
【００６５】
図５及び図６は、図３及び図４に示す調整用パターン画像ＰＴの一部を記録シートＰの第１面Ｐ１側から第２面Ｐ２側を透かして視た状態を示す拡大平面図である。図５は、記録シートＰの第１面Ｐ１及び第２面Ｐ２にそれぞれ形成された第１調整用パターン画像ＰＴ１及び第２調整用パターン画像ＰＴ２の画像形成位置がシート搬送方向Ｘ及び幅方向Ｙの双方で一致している状態を示しており、図６は、記録シートＰの第１面Ｐ１及び第２面Ｐ２にそれぞれ形成された第１調整用パターン画像ＰＴ１及び第２調整用パターン画像ＰＴ２の画像形成位置がシート搬送方向Ｘ及び幅方向Ｙの双方でずれている状態を示している。なお、図５及び図６において透けて視える第２面Ｐ２側の第２調整用パターン画像ＰＴ２は、中間調で表している。
【００６６】
図５及び図６に示すように、調整用パターン画像ＰＴにおける第１調整用パターン画像ＰＴ１及び第２調整用パターン画像ＰＴ２は、それぞれ、間隔をあけて少なくとも２つ形成されている。
【００６７】
そして、第１調整用パターン画像ＰＴ１及び第２調整用パターン画像ＰＴ２は、これらの画像形成位置が一致している状態において、第１面Ｐ１と第２面Ｐ２とで交互になるように配置されており、本実施の形態では、断続的にかつ線状に形成されている。
【００６８】
詳しくは、第１調整用パターン画像ＰＴ１及び第２調整用パターン画像ＰＴ２は、複数の点部又は線部（この例では線部ＢＬ１〜ＢＬ１，ＢＬ２〜ＢＬ２）からなる直線状の破線ＢＬ，ＢＬで構成されている。すなわち、第１調整用パターン画像ＰＴ１及び第２調整用パターン画像ＰＴ２は、隣り合う点部間又は線部間（この例では隣り合う線部ＢＬ１，ＢＬ１間、隣り合う線部ＢＬ２，ＢＬ２間）の間隔部ＢＳ１〜ＢＳ１，ＢＳ２〜ＢＳ２を有している。
【００６９】
具体的には、第１調整用パターン画像ＰＴ１における点部又は線部（この例では線部ＢＬ１〜ＢＬ１）が第２調整用パターン画像ＰＴ２における間隔部ＢＳ２〜ＢＳ２に位置する一方、第２調整用パターン画像ＰＴ２における点部又は線部（この例では線部ＢＬ２〜ＢＬ２）が第１調整用パターン画像ＰＴ１における間隔部ＢＳ１〜ＢＳ１に位置している。なお、複数に形成された第１調整用パターン画像ＰＴ１〜ＰＴ１と、それに対応して複数に形成された第２調整用パターン画像ＰＴ２〜ＰＴ２とは、互いに平行とされている。
【００７０】
また、第１調整用パターン画像ＰＴ１及び第２調整用パターン画像ＰＴ２は、互いに予め定めた所定の距離ＤＳ１，ＤＳ２をおいて形成された画像とされる。
【００７１】
具体的には、第１調整用パターン画像ＰＴ１の線部ＢＬ１は、予め定めた所定の長さＤＬ１及び太さＨＬ１とされており、第１調整用パターン画像ＰＴ１の隣り合う線部ＢＬ１，ＢＬ１間の間隔は、所定の距離ＤＳ１とされている。第２調整用パターン画像ＰＴ２の線部ＢＬ２は、予め定めた所定の長さＤＬ２及び太さＨＬ２とされており、第２調整用パターン画像ＰＴ２の隣り合う線部ＢＬ２，ＢＬ２間の間隔は、所定の距離ＤＳ２とされている。所定の長さＤＬ１と所定の長さＤＬ２とは、同一の値であってもよいし、異なった値であってもよい。所定の長さＤＬ１及び所定の長さＤＬ２は、この例では、何れも２ｍｍとされている。所定の太さＨＬ１と所定の太さＨＬ２とは、同一の値であってもよいし、異なった値であってもよい。所定の太さＨＬ１及び所定の太さＨＬ２は、この例では、何れも０．５ｍｍとされている。所定の距離ＤＳ１と所定の距離ＤＳ２とは、同一の値であってもよいし、異なった値であってもよい。所定の距離ＤＳ１及び所定の距離ＤＳ２は、この例では、何れも３ｍｍとされている。
【００７２】
なお、図６に示す例では、第１調整用パターン画像ＰＴ１及び第２調整用パターン画像ＰＴ２は、シート搬送方向Ｘにおいてずれ量Ｄｘだけ互いにずれており、幅方向Ｙにおいて互いにずれ量Ｄｙだけ互いにずれている。
【００７３】
また、第１調整用パターン画像ＰＴ１及び第２調整用パターン画像ＰＴ２は、画像形成装置１により形成される記録シートＰのシート搬送方向Ｘとシート搬送方向Ｘに直交する幅方向Ｙとの双方に少なくとも２つ形成された画像とされている。
【００７４】
具体的には、第１調整用パターン画像ＰＴ１及び第２調整用パターン画像ＰＴ２は、予め定めた所定のサイズの四角形状を有する図形の全部又は一部（辺部及び／又は角部）を構成している。この例では、第１調整用パターン画像ＰＴ１及び第２調整用パターン画像ＰＴ２は、１０ｍｍ四方の正方形状を有する図形の４角の角部を構成している。
【００７５】
また、第１調整用パターン画像ＰＴ１及び第２調整用パターン画像ＰＴ２のうち、一方の調整用パターン画像は、他方の調整用パターン画像を平面視で記録シートＰの中心Ｑを回転中心にして１８０°回転させた画像と同じ画像とされている（図３及び図４参照）。つまり、第１調整用パターン画像ＰＴ１は、第２調整用パターン画像ＰＴ２を平面視で記録シートＰの中心Ｑを回転中心にして１８０°回転させた画像と同じ画像とされ、第２調整用パターン画像ＰＴ２は、第１調整用パターン画像ＰＴ１を平面視で記録シートＰの中心Ｑを回転中心にして１８０°回転させた画像と同じ画像とされている。
【００７６】
また、第１調整用パターン画像ＰＴ１及び第２調整用パターン画像ＰＴ２は、互いに異なる色（例えば、色相環で互いに反対側に位置する色である補色及びその近傍の色）とされている。
【００７７】
なお、第１調整用パターン画像ＰＴ１が形成された記録シートＰの第１面Ｐ１には、図３に示すように、シート搬送方向Ｘ上流側端（後端）からの距離を、物差しを用いて計測するための計測画像Ｘ１が形成されており、シート搬送方向Ｘ下流側端（先端）からの距離を、物差しを用いて計測するための計測画像Ｘ２が形成されている。この例では、計測画像Ｘ１，Ｘ２は、記録シートＰのサイズに応じた計測を行うために、三角印（▲印及び△印）の数に対応させて複数対形成されている。また、第１調整用パターン画像ＰＴ１が形成された記録シートＰの第１面Ｐ１には、図３に示すように、幅方向一方側端（左端）からの距離を、物差しを用いて計測するための計測画像Ｙ１が形成されており、幅方向Ｙ他方側端（右端）からの距離を、物差しを用いて計測するための計測画像Ｙ２が形成されている。この例では、計測画像Ｙ１，Ｙ２は、記録シートＰのサイズに応じた計測を行うために、三角印（▲印及び△印）の数に対応させて複数対形成されている。
【００７８】
一方、第２調整用パターン画像ＰＴ２が形成された記録シートＰの第２面Ｐ２には、図４に示すように、シート搬送方向Ｘ下流側端（先端）からの距離を、物差しを用いて計測するための計測画像Ｘ１が形成されており、シート搬送方向Ｘ上流側端（後端）からの距離を、物差しを用いて計測するための計測画像Ｘ２が形成されている。この例では、計測画像Ｘ１，Ｘ２は、記録シートＰのサイズに応じた計測を行うために、三角印（▲印及び△印）の数に対応させて複数対形成されている。また、第１調整用パターン画像ＰＴ１が形成された記録シートＰの第１面Ｐ１には、図４に示すように、幅方向他方側端（右端）からの距離を、物差しを用いて計測するための計測画像Ｙ１が形成されており、幅方向Ｙ一方側端（左端）からの距離を、物差しを用いて計測するための計測画像Ｙ２が形成されている。この例では、計測画像Ｙ１，Ｙ２は、記録シートＰのサイズに応じた計測を行うために、三角印（▲印及び△印）の数に対応させて複数対形成されている。
【００７９】
（調整処理）
次に、図３及び図４に示す調整用パターン画像ＰＴを調整する画像調整モードによる調整処理について図７を参照しながら以下に説明する。なお、画像形成装置１の画像の調整を行うにあたって、第１調整用パターン画像ＰＴ１及び第２調整用パターン画像ＰＴ２が形成された記録シートＰに光を透過させて、第１面Ｐ１及び第２面Ｐ２の何れか一方の面から、画像形成装置１における検出装置（例えば、図示しない画像読み取りセンサ及び制御部１００の検出制御構成で構成される検出装置）に検出させ、調整値ＡＶを算出して得られた調整値ＡＶを制御部１００に入力するようにしてもよいが、ここでは、第１調整用パターン画像ＰＴ１及び第２調整用パターン画像ＰＴ２が形成された記録シートＰに光を透過させて、第１面Ｐ１及び第２面Ｐ２の何れか一方の面（この例では第１面Ｐ１）から、サービスマンやユーザ等の操作者による目視により、第１面Ｐ１と第２面Ｐ２とで第１調整用パターン画像ＰＴ１と第２調整用パターン画像ＰＴ２とがどれだけずれているかを把握して調整値ＡＶを求め、得られた調整値ＡＶを操作部８１に入力する場合を例にとって説明する。
【００８０】
画像形成装置１は、操作部８１の入力操作により調整値ＡＶを受け付けて得られた調整値ＡＶに基づいて画像を書き込むことで記録シートＰの調整値ＡＶに応じた位置に画像形成する画像調整モードを有している。
【００８１】
図７は、画像調整モードにおいて両面画像の画像形成位置を調整する調整画面Ｇｓが操作表示部８０における表示部８２の表示画面Ｇに表示された状態を示す概略平面図である。
【００８２】
本実施の形態では、画像形成装置１は、記録シートＰの第１面Ｐ１のシート搬送方向Ｘにおけるずれの調整値ＡＶの入力を受け付ける第１入力表示部Ｋ１、記録シートＰの第１面Ｐ１の幅方向Ｙにおけるずれの調整値ＡＶの入力を受け付ける第２入力表示部Ｋ２、記録シートＰの第２面Ｐ２のシート搬送方向Ｘにおけるずれの調整値ＡＶの入力を受け付ける第３入力表示部Ｋ３、記録シートＰの第２面Ｐ２の幅方向Ｙにおけるずれの調整値ＡＶの入力を受け付ける第４入力表示部Ｋ４が操作者によりタッチ操作されて選択されると、それぞれ、表示の文字と背景とが反転するようになっている。図７に示す例では、第１面Ｐ１のシート搬送方向Ｘにおけるずれの調整値ＡＶが選択されている状態（斜線参照）を示している。なお、調整値ＡＶの初期値は、０．０ｍｍとされている。
【００８３】
画像形成装置１は、第１入力表示部Ｋ１及び第３入力表示部Ｋ３がそれぞれ選択されると、操作者によるプラスキー「＋」のタッチ操作により０．１ｍｍ刻みで５．０ｍｍまで増加し、操作者によるマイナスキー「−」のタッチ操作により０．１ｍｍ刻みで−５．０ｍｍまで減少するようになっている。また、第２入力表示部Ｋ２及び第４入力表示部Ｋ４がそれぞれ選択されると、操作者によるプラスキー「＋」のタッチ操作により０．１ｍｍ刻みで３．０ｍｍまで増加し、操作者によるマイナスキー「−」のタッチ操作により０．１ｍｍ刻みで−３．０ｍｍまで減少するようになっている。なお、画像形成装置１は、プラスキー「＋」及びマイナスキー「−」によって調整値ＡＶを変更する場合の他、操作キー８１ｂのテンキーを用いて調整値ＡＶを直接入力するようにもなっている。
【００８４】
そして、操作者は、先ず、図３及び図４に示す第１調整用パターン画像ＰＴ１及び第２調整用パターン画像ＰＴ２を記録シートＰの第１面Ｐ１側から第２面Ｐ２側を透かして視て、第１調整用パターン画像ＰＴ１及び第２調整用パターン画像ＰＴ２がずれていると判断した場合には、つぎの調整作業を行う。
【００８５】
すなわち、操作者は、第１調整用パターン画像ＰＴ１及び第２調整用パターン画像ＰＴ２がシート搬送方向Ｘにずれていると判断した場合には、第１面Ｐ１において記録シートＰのシート搬送方向上流側端（後端）から計測画像Ｘ１までの値ＡＸ１に対して記録シートＰのシート搬送方向下流側端（先端）から計測画像Ｘ２までの値ＡＸ２を差し引いた値（ＡＸ１−ＡＸ２）を２で割った値［（ＡＸ１−ＡＸ２）／２］を調整値ＡＶとして第１入力表示部Ｋ１に入力し、第２面Ｐ２において記録シートＰのシート搬送方向下流側端（先端）から計測画像Ｘ１までの値ＡＸ１に対して記録シートＰのシート搬送方向上流側端（後端）から計測画像Ｘ２までの値ＡＸ２を差し引いた値（ＡＸ１−ＡＸ２）を２で割った値［（ＡＸ１−ＡＸ２）／２］を調整値ＡＶとして第３入力表示部Ｋ３に入力する。これにより、制御部１００は、入力された調整値ＡＶで画像形成部３における露光装置６の画像（静電潜像）のシート搬送方向Ｘ（副走査方向）における書き込みタイミングを決定することができる。
【００８６】
また、操作者は、第１調整用パターン画像ＰＴ１及び第２調整用パターン画像ＰＴ２が幅方向Ｙにずれていると判断した場合には、第１面Ｐ１において記録シートＰの幅方向一方側端（左端）から計測画像Ｙ１までの値ＡＹ１に対して記録シートＰの幅方向他方側端（右端）から計測画像Ｙ２までの値ＡＹ２を差し引いた値（ＡＹ１−ＡＹ２）を２で割った値［（ＡＹ１−ＡＹ２）／２］を調整値ＡＶとして第２入力表示部Ｋ２に入力し、第２面Ｐ２において記録シートＰの幅方向他方側端（右端）から計測画像Ｙ１までの値ＡＹ１に対して記録シートＰの幅方向一方側端（左端）から計測画像Ｙ２までの値ＡＹ２を差し引いた値（ＡＹ１−ＡＹ２）を２で割った値［（ＡＹ１−ＡＹ２）／２］を調整値ＡＶとして第４入力表示部Ｋ４に入力する。これにより、制御部１００は、入力された調整値ＡＶで画像形成部３における露光装置６の画像（静電潜像）の幅方向Ｙ（主走査方向）における書き込みタイミングを決定することができる。
【００８７】
次に、操作者は、テスト印刷キーＫ５のタッチ操作により調整用パターン画像出力モードを実行し、記録シートに調整用パターン画像ＰＴを形成する。
【００８８】
次に、操作者は、図３及び図４に示す第１調整用パターン画像ＰＴ１及び第２調整用パターン画像ＰＴ２を記録シートＰの第１面Ｐ１側から第２面Ｐ２側を透かして視て、第１調整用パターン画像ＰＴ１及び第２調整用パターン画像ＰＴ２がずれていると判断した場合には、前記した調整作業を行う。
【００８９】
次に、操作者は、かかる一連の調整作業を、第１調整用パターン画像ＰＴ１と第２調整用パターン画像ＰＴ２とでずれが無くなるまで行う。
【００９０】
そして、操作者は、第１調整用パターン画像ＰＴ１と第２調整用パターン画像ＰＴ２とでずれが無くなると、戻るキーＫ６をタッチ操作することで、前の画面に戻し、調整処理を終了する。
【００９１】
（本実施の形態について）
以上説明したように、本実施の形態によれば、記録シートＰの第１面Ｐ１に形成される第１調整用パターン画像ＰＴ１及び記録シートＰの第２面Ｐ２に形成される第２調整用パターン画像ＰＴ２は、それぞれ、間隔をあけて少なくとも２つ形成され、かつ、第１面Ｐ１と第２面Ｐ２とで交互になるように配置されることで、第１調整用パターン画像ＰＴ１と第２調整用パターン画像ＰＴ２とがたとえ微妙にずれていても、かかるずれの違いを操作者に見極めやすくさせることができ、これにより、第１面Ｐ１における第１調整用パターン画像ＰＴ１と第２面Ｐ２における第２調整用パターン画像ＰＴ２との微妙なずれを操作者に正確に把握させる或いは検出装置に正確に検出させることが可能となる。
【００９２】
また、本実施の形態では、第１調整用パターン画像ＰＴ１及び第２調整用パターン画像ＰＴ２は、それぞれ、断続的にかつ線状に形成されることで、断続的にかつ線状に形成された第１調整用パターン画像ＰＴ１及び第２調整用パターン画像ＰＴ２を操作者にとって見やすくする或いは検出装置に認識させやすくすることができ、これにより、第１調整用パターン画像ＰＴ１及び第２調整用パターン画像ＰＴ２のずれの違いを操作者或いは検出装置にさらに見極めやすくさせることができる。
【００９３】
また、本実施の形態では、第１調整用パターン画像ＰＴ１及び第２調整用パターン画像ＰＴ２は、複数の点部又は線部（この例では線部ＢＬ１〜ＢＬ１，ＢＬ２〜ＢＬ２）からなる直線状の破線で構成されていることで、該直線状の破線で構成された第１調整用パターン画像ＰＴ１及び第２調整用パターン画像ＰＴ２における点部又は線部（この例では線部ＢＬ１〜ＢＬ１，ＢＬ２〜ＢＬ２）を間隔部ＢＳ１〜ＢＳ１，ＢＳ２〜ＢＳ２において操作者にとって見やすくする或いは検出装置に認識させやすくすることができ、これにより、第１調整用パターン画像ＰＴ１及び第２調整用パターン画像ＰＴ２のずれの違いを操作者或いは検出装置にさらに見極めやすくさせることができる。
【００９４】
また、本実施の形態では、第１調整用パターン画像ＰＴ１及び第２調整用パターン画像ＰＴ２は、互いに予め定めた所定の距離ＤＳ１，ＤＳ２をおいて形成された画像とされることで、第１調整用パターン画像ＰＴ１と第２調整用パターン画像ＰＴ２とを同じ周期の位置に位置させることができ、それだけ、第１調整用パターン画像ＰＴ１及び第２調整用パターン画像ＰＴ２のずれを操作者に視認性よく把握させる或いは検出装置に視認性よく検出させることができ、これにより、第１調整用パターン画像ＰＴ１及び第２調整用パターン画像ＰＴ２のずれの違いを操作者或いは検出装置にさらに見極めやすくさせることができる。
【００９５】
また、本実施の形態では、第１調整用パターン画像ＰＴ１及び第２調整用パターン画像ＰＴ２は、シート搬送方向Ｘと幅方向Ｙとの双方に少なくとも２つ形成された画像とされることで、第１調整用パターン画像ＰＴ１及び第２調整用パターン画像ＰＴ２のシート搬送方向Ｘと幅方向Ｙとの双方のずれを操作者に把握させる或いは検出装置に検出させることが可能となる。
【００９６】
また、本実施の形態では、第１調整用パターン画像ＰＴ１及び第２調整用パターン画像ＰＴ２は、所定のサイズの四角形状を有する図形の全部又は一部を構成することで、該四角形状を構成する４辺に対応する箇所で第１調整用パターン画像ＰＴ１及び第２調整用パターン画像ＰＴ２のずれを操作者に容易に把握させる或いは検出装置に容易に検出させることができる。
【００９７】
また、本実施の形態では、第１調整用パターン画像ＰＴ１及び第２調整用パターン画像ＰＴ２のうち、一方の調整用パターン画像は、他方の調整用パターン画像を平面視で記録シートＰの中心Ｑ（図３及び図４参照）を回転中心にして１８０°回転させた画像と同じ画像とされることで、第１調整用パターン画像ＰＴ１と第２調整用パターン画像ＰＴ２とで制御構成上同一の調整用パターン画像を用いることができ、それだけ画像データのデータ量を少なくすることができる。
【００９８】
また、本実施の形態では、第１調整用パターン画像ＰＴ１及び第２調整用パターン画像ＰＴ２は、互いに異なる色（例えば、色相環で互いに反対側に位置する色である補色及びその近傍の色）とされることで、第１調整用パターン画像ＰＴ１及び第２調整用パターン画像ＰＴ２のずれを操作者に視認性よく把握させる或いは検出装置に視認性よく検出させることができ、これにより、第１調整用パターン画像ＰＴ１及び第２調整用パターン画像ＰＴ２のずれの違いを操作者或いは検出装置にさらに見極めやすくさせることができる。
【００９９】
（第２実施形態の調整用パターン画像）
次に、図３及び図４に示す調整用パターン画像ＰＴの他の例について図８を参照しながら以下に説明する。
【０１００】
図８は、調整用パターン画像ＰＴの他の例を記録シートＰの第１面Ｐ１側から第２面Ｐ２側を透かして視た状態を示す拡大平面図である。なお、図８において、透けて視える第２面Ｐ２側の第２調整用パターン画像ＰＴ２は、中間調で表しており、透けて視える第２面Ｐ２側の第２測定用画像ＱＴ２は、破線で表している。また、図８に示す例では、第１調整用パターン画像ＰＴ１〜ＰＴ１と第２調整用パターン画像ＰＴ２〜ＰＴ２とがずれていない状態を示している。
【０１０１】
図８に示す調整用パターン画像ＰＴでは、第１調整用パターン画像ＰＴ１〜ＰＴ１及び第２調整用パターン画像ＰＴ２〜ＰＴ２のうち、何れか一方の調整用パターン画像（この例では第１調整用パターン画像ＰＴ１〜ＰＴ１）は、直線状の方向Ｌに直交する直交方向Ｍにおいて、該一方の調整用パターン画像（この例では第１調整用パターン画像ＰＴ１〜ＰＴ１）を基準にして予め定めた所定の間隔ｄ１〜ｄ１（この例では１ｍｍ）毎に離間した位置に第１測定用画像ＱＴ１〜ＱＴ１が形成されている。また、第１調整用パターン画像ＰＴ１〜ＰＴ１及び第２調整用パターン画像ＰＴ２〜ＰＴ２のうち、何れか他方の調整用パターン画像（この例では第２調整用パターン画像ＰＴ２〜ＰＴ２）は、直交方向Ｍにおいて、該他方の調整用パターン画像（この例では第２調整用パターン画像ＰＴ２〜ＰＴ２）を基準にして所定の間隔ｄ１〜ｄ１（この例では１ｍｍ）に予め定めた所定の値（この例では０．１ｍｍ）を増加させた間隔ｄ２〜ｄ２（この例では１．１ｍｍ）毎に離間した位置に第２測定用画像ＱＴ２〜ＱＴ２が形成されている。ここで、第１測定用画像ＱＴ１〜ＱＴ１は、第１調整用パターン画像ＰＴ１〜ＰＴ１と互いに平行とされており、第２測定用画像ＱＴ２〜ＱＴ２は、第２調整用パターン画像ＰＴ２〜ＰＴ２と互いに平行とされている。また、第１測定用画像ＱＴ１〜ＱＴ１は、それぞれが第１調整用パターン画像ＰＴ１に沿って互いに平行な直線状に形成されており、第２測定用画像ＱＴ２〜ＱＴ２は、それぞれが第２調整用パターン画像ＰＴ２に沿って互いに平行な直線状に形成されている。なお、所定の間隔ｄ１〜ｄ１毎の間隔値は、所定の間隔ｄ１〜ｄ１毎に一定の間隔値とされていてもよいし、所定の間隔ｄ１〜ｄ１毎に変化した間隔値とされていてもよい。
【０１０２】
こうすることで、第１調整用パターン画像ＰＴ１及び第２調整用パターン画像ＰＴ２のうち何れか一方の調整用パターン画像（例えば、第１調整用パターン画像ＰＴ１）を、物差しを用いて測定して画像の画像形成位置を調整した状態において、何れか他方の調整用パターン画像（例えば、第２調整用パターン画像ＰＴ２）が一方の調整用パターン画像（例えば、第１調整用パターン画像ＰＴ１）と一致した画像形成位置を他方の調整用パターン画像（例えば、第２調整用パターン画像ＰＴ２）のずれ量とすることができる。
【０１０３】
例えば、第１調整用パターン画像ＰＴ１〜ＰＴ１及び第２調整用パターン画像ＰＴ２〜ＰＴ２の右側から３番目の第１及び第２測定用画像ＱＴ１，ＱＴ２で一致する場合には第２調整用パターン画像ＰＴ２〜ＰＴ２が第１調整用パターン画像ＰＴ１〜ＰＴ１に対して左側に０．３ｍｍずれていることになる。一方、第１調整用パターン画像ＰＴ１〜ＰＴ１及び第２調整用パターン画像ＰＴ２〜ＰＴ２の左側から４番目の第１及び第２測定用画像ＱＴ１，ＱＴ２で一致する場合には第２調整用パターン画像ＰＴ２〜ＰＴ２が第１調整用パターン画像ＰＴ１〜ＰＴ１に対して右側に０．４ｍｍずれていることになる。
【０１０４】
これにより、第１測定用画像ＱＴ１及び第２測定用画像ＱＴ２の何れか一方の測定用画像（例えば、画像の画像形成位置を調整していない側の第２測定用画像ＱＴ２）に対して物差しを用いることなく該一方の測定用画像（例えば、第２測定用画像ＱＴ２）を調整することができる。
【０１０５】
なお、本実施の形態では、記録シートＰの第１面Ｐ１に形成される第１調整用パターン画像ＰＴ１の画像形成位置と記録シートＰの第２面Ｐ２に形成される第２調整用パターン画像ＰＴ２の画像形成位置とが一致するか否かの判断を、第１面Ｐ１側から第２面Ｐ２側を透かして行ったが、第２面Ｐ２側から第１面Ｐ１側を透かして行ってもよいことは言うまでもない。
【０１０６】
また、本実施の形態では、センチ仕様の構成について説明したが、勿論、インチ仕様の構成であってもよい。
【０１０７】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１０８】
１      画像形成装置
３      画像形成部
８０    操作表示部
８１    操作部
８２    表示部
１００  制御部
１０１  処理部
１０２  記憶部
ＢＬ１  線部
ＢＬ２  線部
ＢＳ１  間隔部
ＢＳ２  間隔部
ＤＬ１  所定の長さ
ＤＬ２  所定の長さ
ＤＳ１  所定の距離
ＤＳ２  所定の距離
Ｄｘ    ずれ量
Ｄｙ    ずれ量
ＨＬ１  所定の太さ
ＨＬ２  所定の太さ
Ｌ      直線状の方向
Ｍ      直交方向
Ｐ      記録シート
Ｐ１    第１面
Ｐ２    第２面
ＰＴ１  第１調整用パターン画像
ＰＴ２  第２調整用パターン画像
ＱＴ１  第１測定用画像
ＱＴ２  第２測定用画像
Ｓｒ    表裏反転搬送路
Ｘ      シート搬送方向
Ｙ      幅方向
ｄ１    所定の間隔
ｄ２    間隔
【図１】
2014233963.tif 000003
【図２】
2014233963.tif 000004
【図３】
2014233963.tif 000005
【図４】
2014233963.tif 000006
【図５】
2014233963.tif 000007
【図６】
2014233963.tif 000008
【図７】
2014233963.tif 000009
【図８】
2014233963.tif 000010
【図９】
2014233963.tif 000011